(57)【特許請求の範囲】
【請求項１】
内面に蛍光体が塗布され、径の異なる複数の環状バルブ部が同一平面上に同心状に設けられるとともにこれら複数の環状バルブ部が連通されて１本の放電路が設けられたバルブと；
バルブ内に封入された希ガスおよび水銀と；
バルブの放電路の両端に封止された一対の電極と；
バルブの放電路の中間部に設けられた近接導体と；
バルブの放電路の両端部およびバルブの放電路の中間部にわたって設けられるとともに、バルブの放電路の両端部と中間部との間に遮熱部が設けられた口金と；
を具備していることを特徴とする蛍光ランプ。
【請求項２】
近接導体が口金に設けられている
ことを特徴とする請求項１記載の蛍光ランプ。
【請求項３】
近接導体は電極に接続される導電線である
ことを特徴とする請求項１または２記載の蛍光ランプ。
【請求項４】
口金は透光性を有する
ことを特徴とする請求項１ないし３いずれか一記載の蛍光ランプ。
【請求項５】
内面に蛍光体が塗布され、径の異なる複数の環状バルブ部が同一平面上に同心状に設けられるとともにこれら複数の環状バルブ部が連通されて１本の放電路が設けられたバルブと；
バルブ内に封入された希ガスおよび水銀と；
バルブの放電路の両端に封止された一対の電極と；
バルブの放電路の中間部に設けられた近接導体と；
バルブの放電路の両端部およびバルブの放電路の中間部にわたって設けられた口金と；
バルブの最冷部に設けられた放熱手段と；
を具備していることを特徴とする蛍光ランプ。
【請求項６】
請求項１ないし５いずれか一記載の蛍光ランプと；
蛍光ランプを装着する器具本体と；
を具備していることを特徴とする照明器具。
【請求項７】
径の異なる複数の環状バルブ部が同一平面上に同心状に設けられるとともにこれら複数の環状バルブ部が連通されて１本の放電路が設けられたバルブを有する蛍光ランプの口金が接続されるランプソケットと；
ランプソケットに設けられ、蛍光ランプの放電路の中間部に近接される近接導体と；
を具備していることを特徴とする照明器具。
【請求項８】
請求項５記載の蛍光ランプと；
蛍光ランプの放熱手段に接触するランプホルダを有する器具本体と；
を具備していることを特徴とする照明器具。
【請求項９】
非導電性のランプホルダを具備している
ことを特徴とする請求項７または８記載の照明器具。
【発明の詳細な説明】
【０００１】
【発明の属する技術分野】
本発明は、環形の蛍光ランプおよびこの蛍光ランプを用いた照明器具に関する。
【０００２】
【従来の技術】
従来、環形の蛍光ランプにおいては、例えば、特開平２−６１９５６号公報または特開平６−２０３７９８号公報に記載されているように、管径が細い略Ｃ字形の２つの環状バルブ部を同一平面上に同心状に配置し、それら各環状バルブ部の一端間をブリッジ接続によって互いに連通し、１本の放電路を形成したバルブを有する蛍光ランプがある。
【０００３】
バルブの放電路の両端部には一対の電極を封止し、この電極が封止されたバルブの放電路の両端部とバルブの放電路の中間部が近接されてそれら両端部と中間部を覆って口金を設けている。
【０００４】
【発明が解決しようとする課題】
しかしながら、従来の蛍光ランプでは、バルブの管径が細く、放電路長が長いため、点灯時の始動性が悪く、始動電圧が高くなる問題がある。
【０００５】
また、従来の蛍光ランプでは、放電路の両端部の電極から最も離れた中間部のブリッジ接続部分が最冷部として構成され、この最冷部によりバルブ内の水銀蒸気圧が適性に保たれるが、電極が封止された放電路の両端部の近傍に放電路の中間部すなわち最冷部が位置するため、電極部分からの熱によって最冷部が温度上昇し、バルブ内の水銀蒸気圧が適性に保たれず、明るさが低下する問題がある。
【０００６】
本発明は、このような点に鑑みなされたもので、始動電圧を低減し、さらには、最冷部の温度上昇を抑制して明るさの低下を防止できる蛍光ランプおよび照明器具を提供することを目的とする。
【０００７】
【課題を解決するための手段】
請求項１記載の蛍光ランプは、内面に蛍光体が塗布され、径の異なる複数の環状バルブ部が同一平面上に同心状に設けられるとともにこれら複数の環状バルブ部が連通されて１本の放電路が設けられたバルブと；バルブ内に封入された希ガスおよび水銀と；バルブの放電路の両端に封止された一対の電極と；バルブの放電路の中間部に設けられた近接導体と；バルブの放電路の両端部およびバルブの放電路の中間部にわたって設けられるとともに、バルブの放電路の両端部と中間部との間に遮熱部が設けられた口金とを具備しているものである。そして、始動時に一方の電極と近接導体との間で放電が誘発されるとともに、この近接導体から他方の電極まで放電が誘発され、この近接導体の放電誘発作用によって両電極間の放電を即すことにより、始動が容易になり、始動電圧を引き下げられる。さらに、遮熱部により、バルブの放電路の中間部すなわち最冷部の温度上昇を抑制して明るさの低下を防止する。
【０００８】
請求項２記載の蛍光ランプは、請求項１記載の蛍光ランプにおいて、近接導体が口金に設けられているものであり、近接導体を容易に設けられる。
【０００９】
請求項３記載の蛍光ランプは、請求項１または２記載の蛍光ランプにおいて、近接導体は電極に接続される導電線であり、特別な近接導体を用いず、導電線を兼用する。
【００１０】
請求項４記載の蛍光ランプは、請求項１ないし３いずれか一記載の蛍光ランプにおいて、口金は透光性を有するものであり、口金で覆われるバルブ部分からの光の一部を放出し、光束の低下を抑制する。
【００１１】
請求項５記載の蛍光ランプは、内面に蛍光体が塗布され、径の異なる複数の環状バルブ部が同一平面上に同心状に設けられるとともにこれら複数の環状バルブ部が連通されて１本の放電路が設けられたバルブと；バルブ内に封入された希ガスおよび水銀と；バルブの放電路の両端に封止された一対の電極と；バルブの放電路の中間部に設けられた近接導体と；バルブの放電路の両端部およびバルブの放電路の中間部にわたって設けられた口金と；バルブの最冷部に設けられた放熱手段とを具備しているものである。そして、始動時に一方の電極と近接導体との間で放電が誘発されるとともに、この近接導体から他方の電極まで放電が誘発され、この近接導体の放電誘発作用によって両電極間の放電を即すことにより、始動が容易になり、始動電圧を引き下げられる。さらに、最冷部の温度上昇を抑制して明るさの低下を防止する。
【００１２】
請求項６記載の照明器具は、請求項１ないし５いずれか一記載の蛍光ランプと；蛍光ランプを装着する器具本体とを具備しているものであり、始動電圧が低く、始動性がよい照明器具となる。
【００１３】
請求項７記載の照明器具は、径の異なる複数の環状バルブ部が同一平面上に同心状に設けられるとともにこれら複数の環状バルブ部が連通されて１本の放電路が設けられたバルブを有する蛍光ランプの口金が接続されるランプソケットと；ランプソケットに設けられ、蛍光ランプの放電路の中間部に近接される近接導体とを具備しているものである。そして、始動時に一方の電極と近接導体との間で放電が誘発されるとともに、この近接導体から他方の電極まで放電が誘発され、この近接導体の放電誘発作用によって両電極間の放電を即すことにより、始動が容易になり、始動電圧を引き下げられる。
【００１４】
請求項８記載の照明器具は、請求項５記載の蛍光ランプと；蛍光ランプの放熱手段に接触するランプホルダを有する器具本体とを具備しているものであり、放熱手段の熱をランプホルダを介して器具本体側に放熱し、放熱性がより向上する。
【００１５】
請求項９記載の照明器具は、請求項７または８記載の照明器具において、非導電性のランプホルダを具備しているものであり、ランプホルダに金属などの導電性の材料を使用すると、始動時に印加した電圧がバルブの中間部に至らずにランプホルダの部分で漏れて環状バルブ部の一方から他方に抜けて始動性が悪化するが、非導電性であれば、ランプホルダの部分での漏れをなくし、始動性が向上する。
【００１６】
【発明の実施の形態】
以下、本発明の蛍光ランプおよび照明器具の一実施の形態を図面を参照して説明する。
【００１７】
図１および図２に第１の実施の形態を示し、図１は蛍光ランプの底面図、図２は照明器具の断面図である。
【００１８】
図１において、１は環状の蛍光ランプで、この蛍光ランプ１はバルブ２を有している。このバルブ２は、透光性を有する例えばガラス製で、径の異なる略Ｃ字形の２つの環状バルブ部３，４が同一平面上に同心円状に配設されるとともに、これら各環状バルブ部３，４の一方の端部間が細管５を介して連結されるとともに連通されて連続した１本の放電路６が形成されている。
【００１９】
バルブ２の内面には蛍光体が塗布され、バルブ２内にはアルゴンガスなどの希ガスおよび水銀が封入されているとともに必要に応じてアマルガムが封入されている。環状バルブ部３，４の他方の端部すなわちバルブ２の放電路６の両端部７には一対の電極（フィラメント）８がそれぞれ封止されている。そして、バルブ２の放電路６の中間部９のブリッジ接続部分が最冷部10として構成される。
【００２０】
環状バルブ部３，４の両端間すなわちバルブ２の両端部７と中間部９にわたって口金11が設けられている。この口金11は、絶縁性を有する合成樹脂製の口金ケース12を備え、この口金ケース12には、図示しないが、内径側に向けて突設される４本のランプピンを有し、これらランプピンには各電極８と接続されてバルブ２から導出された導電線がそれぞれ接続されている。口金11の内部には、バルブ２の両端部７と中間部９を仕切る場所でその中間部９に接触または近接して例えばアルミニウム板などの近接導体13が配設されている。
【００２１】
図２において、21は天井面で、この天井面21には引掛シーリング22が設置され、この引掛シーリング22に対して天井直付形照明器具の器具体23が装着されている。器具体23は、器具本体24を有し、この器具本体24の中央部には引掛シーリング22に機械的に引掛け係止されるとともに電気的に接続されるアダプタ25が取り付けられ、器具本体24の下面にはホルダ取付部26が形成され、このホルダ取付部26に蛍光ランプ１が装着されたホルダ体27が着脱可能に取り付けられている。
【００２２】
ホルダ体27の一端にはランプソケット28が一体的に形成されているとともに、他端にはランプホルダ29が取り付けられている。ランプソケット28は、口金11の内側部分に係合するホルダ部30を有し、このホルダ部30に口金11から突出するランプピンが挿入される図示しない４つの接続孔が形成され、各接続孔の内側に挿入されたランプピンと電気的に接続される図示しない接続端子が配設されている。ランプホルダ29は、非導電性の材料にて形成され、蛍光ランプ１の口金11とは円周方向に反対側でかつ内径側の環状バルブ部３の内側部分に係合するホルダ部31を有している。そして、ホルダ体27により器具体23に装着された蛍光ランプ１は、器具本体24の下側で２つの環状バルブ部３，４が略水平に並ぶ水平状態に支持されている。
【００２３】
器具本体24には図示しないインバータ回路などを有する点灯装置が配設され、この点灯装置によりホルダ体27のランプソケット28に接続された蛍光ランプ１が高周波点灯される。
【００２４】
器具本体24の下面を覆って透光性を有するセード32が装着されている。器具本体24の周縁部には、セード32を着脱可能に取り付けるセード取付機構33が配設されている。
【００２５】
そして、同心円状の２つの環状バルブ部３，４が連通されて１本の放電路６が設けられた蛍光ランプ１において、バルブ２の管径が細く、放電路６の長さが長いと、点灯時の始動性が悪く、始動電圧が高くなるが、バルブ２の中間部９に近接導体13を設けているので、始動時に一方の電極８と近接導体13との間で放電が誘発されるとともに、この近接導体13から他方の電極８まで放電が誘発され、この近接導体13の放電誘発作用によって両電極８間の放電を即すことにより、始動が容易になり、始動電圧を引き下げることができる。
【００２６】
このように始動電圧を引き下げることより、雰囲気温度の低温時でも始動を容易に行なえ、耐電圧容量の小さい小形の点灯部品を用いて点灯装置の小形化を図れる。
【００２７】
また、ランプホルダ29に金属などの導電性の材料を使用すると、始動時に印加した電圧がバルブ２の中間部９に至らずにランプホルダ29の部分で漏れて環状バルブ部３，４の一方から他方に抜けてしまうため、始動性が悪化するが、ランプホルダ29に非導電性の材料にて形成することにより、ランプホルダ29の部分での漏れをなくし、始動性の悪化を防止できる。
【００２８】
次に、図３に第２の実施の形態を示し、図３は蛍光ランプの底面図である。
【００２９】
電極８に接続されてバルブ２の外部に導出された一部の導電線（ワイヤ）41を近接導体13として用い、この導電線41がバルブ２の中間部９の細管５に引っ掛けるようにして係合される。
【００３０】
そして、このようにバルブ２の中間部９に係合された導電線41によっても放電誘発作用を得ることができ、第１の実施の形態の近接導体13と同様に、導電線41の放電誘発作用によって両電極８間の放電を即すことにより、始動が容易になり、始動電圧を引き下げることができる。しかも、導電線41を利用することにより、近接導体13として代用することができる。
【００３１】
次に、図４に第３の実施の形態を示し、図４は蛍光ランプの底面図である。
【００３２】
口金11の口金ケース12に、バルブ２の両端部７と中間部９の間を仕切って壁状の遮熱部42が形成される。
【００３３】
そして、遮熱部42により、点灯時に電極８が封止されたバルブ２の両端部７の熱がバルブ２の中間部９すなわち最冷部10に伝わるのを低減できる。これにより、最冷部10が温度上昇するのを抑制でき、バルブ２内の水銀蒸気圧を適性に保ち、明るさの低下を抑制できる。
【００３４】
なお、この蛍光ランプ１に、第１の実施の形態の近接導体13、または第２の実施の形態の導電線41を適用すれば、各実施の形態と同様の作用効果を奏する。
【００３５】
次に、図５に第４の実施の形態を示し、図５はランプソケットの斜視図である。
【００３６】
ランプソケット28のホルダ部30の一側近傍、すなわちホルダ部30に接続される口金11においてバルブ２の中間部９側に対応する一側近傍に近接導体43が設けられる。
【００３７】
そして、蛍光ランプ１の口金11をランプソケット28のホルダ部30に接続すると、ホルダ部30に設けられた近接導体43がバルブ２の中間部９に近接し、放電誘発作用を発生させることができ、第１の実施の形態と同様の作用効果を奏する。
【００３８】
この場合の蛍光ランプ１としては、図４に示す第３の実施の形態のように近接導体を有していない蛍光ランプ１に対して特に有効であるが、図１に示す第１の実施の形態および図３に示す第２の実施の形態のように近接導体13または導電線41を有する蛍光ランプ１に対しても有効である。
【００３９】
なお、図中44は蛍光ランプ１のランプピンが挿入される接続孔である。
【００４０】
次に、図６に第５の実施の形態を示し、図６は蛍光ランプの底面図である。
【００４１】
蛍光ランプ１のバルブ２の内側の環状バルブ部３は略Ｃ字形に形成され、外側の環状バルブ部４は略半環状の一対のバルブ部分4aに分割形成され、内側の環状バルブ部３の各端部と各バルブ部分4aの一端の間が細管５を介して連結されるとともに連通されて連続した１本の放電路６が形成される。
【００４２】
各バルブ部分4aの他端すなわちバルブ２の放電路６の両端部７には電極８が封入されるとともに、その両端部７にわたって口金11が設けられる。口金11の内側には内側の環状バルブ部３の中間部すなわちバルブ２の放電路６の中間部９に近接または接触する近接導体13が設けられる。
【００４３】
そして、このようにバルブ２の中間部９に設けられた近接導体13によって放電誘発作用を得ることができ、第１の実施の形態と同様に、近接導体13の放電誘発作用によって両電極８間の放電を即すことにより、始動が容易になり、始動電圧を引き下げることができる。
【００４４】
なお、この蛍光ランプ１では、口金11と最も離れたバルブ２の環状バルブ部３，４の各ブリッジ接続部分が最冷部10として構成される。
【００４５】
次に、図７に第６の実施の形態を示し、図７は蛍光ランプの底面図である。
【００４６】
電極８に接続されてバルブ２の外部に導出された一部の導電線41を近接導体13として用い、この導電線41がバルブ２の内側の環状バルブ部３の中間部９に引っ掛けるようにして係合される。口金11はバルブ２の両端部７および中間部９にわたって設けられ、口金11の内側に導電線41が配置される。
【００４７】
そして、このようにバルブ２の中間部９に係合された導電線41によっても放電誘発作用を得ることができ、第５の実施の形態の近接導体13と同様に、導電線41の放電誘発作用によって両電極８間の放電を即すことにより、始動が容易になり、始動電圧を引き下げることができる。しかも、導電線41を利用することにより、近接導体13として代用することができる。
【００４８】
次に、図８に第７の実施の形態を示し、図８は蛍光ランプの底面図である。
【００４９】
口金11の口金ケース12は、例えば乳白色や半透明などの透光性を有する材料にて形成され、バルブ２の両端部７および中間部９にわたって設けられる。バルブ２の環状バルブ部３，４の各ブリッジ接続部分すなわち最冷部10間にわたって放熱手段としての放熱部45が設けられている。放熱部45は、バルブ２の材料のガラスより放熱性が高い例えばシリコンなどの放熱材料が用いられる。
【００５０】
そして、放熱部45により、点灯時における最冷部10の放熱を助長し、最冷部10が温度上昇するのを抑制でき、バルブ２内の水銀蒸気圧を適性に保ち、明るさの低下を抑制できる。しかも、バルブ２の遊端部である最冷部10間を放熱部45により固定でき、剛性を向上できる。
【００５１】
さらに、口金11は透光性を有するため、口金11でバルブ２の中間部９を覆っていても、その覆われた部分の光の一部を放出させることができ、光束の低下を抑制できる。
【００５２】
なお、この蛍光ランプ１に、第５の実施の形態の近接導体13、または第６の実施の形態の導電線41を適用すれば、各実施の形態と同様の作用効果を奏する。
【００５３】
次に、図９に第８の実施の形態を示し、図９はランプソケットの斜視図である。
【００５４】
ランプソケット28のホルダ部30の一端近傍、すなわちホルダ部30に接続される口金11部分においてバルブ２の中間部９側に対応する一端近傍に近接導体43が設けられる。
【００５５】
そして、蛍光ランプ１の口金11をランプソケット28のホルダ部30に接続すると、ホルダ部30に設けられた近接導体43がバルブ２の中間部９に近接し、放電誘発作用を発生させることができ、第５の実施の形態と同様の作用効果を奏する。
【００５６】
この場合の蛍光ランプ１としては、図８に示す第７の実施の形態のように近接導体を有していない蛍光ランプ１に対して特に有効であるが、図６に示す第５の実施の形態および図７に示す第６の実施の形態のように近接導体13または導電線41を有する蛍光ランプ１に対しても有効である。
【００５７】
次に、図１０ないし図１２に第９の実施の形態を示し、図１０(a)は蛍光ランプの一部の斜視図、図１０(b)は口金の断面図、図１１は照明器具の一部の側面図、図１２は雰囲気温度に対する効率の特性を示す説明図である。
【００５８】
図１０において、蛍光ランプ１は、例えば、図６に示す第５の実施の形態の蛍光ランプ１の外側の環状バルブ部４に口金11を設けるのに代えて、内側の環状バルブ部３に口金11を設けた構造とする。口金11の口金ケース12は、バルブ２の管軸方向に対して直交する上下方向に２分割形成され、上側に絶縁性を有する例えば合成樹脂製のケース部51が配設され、下側にケース部51より熱伝導性および放熱性の高い例えばアルミニウムまたは樹脂などの放熱手段としてのケース部52が配設される。両ケース部51，52は、バルブ２の両端部７を挟み込み、下側のケース部52から挿通したねじ53を上側のケース部51に螺着して結合固定される。上側のケース部51にはランプピン54が突設される。
【００５９】
図１１において、器具体23のランプソケット28には、ホルダ部30に接続された口金11の下側のケース部52に接触するランプホルダ55が取り付けられている。このランプホルダ55は、例えば金属製の板ばねにて形成されている。
【００６０】
そして、蛍光ランプ１の口金11をランプソケット28のホルダ部30に接続すると、ランプホルダ55が口金11の下側のケース部52に接触する。蛍光ランプ１の点灯時には、バルブ２の管壁の熱が口金11に伝わり、特に熱伝導性および放熱性の高いケース部52から空気中に良好に放熱されるとともに、ケース部52に接触するランプホルダ55を介して器具体23側に良好に放熱される。
【００６１】
図１２は雰囲気温度に対する効率の特性を示し、図中ａが付された曲線は本実施の形態の場合で、図中ｂが付された曲線は熱伝導性および放熱性の高いケース部52およびランプホルダ55を備えない場合を示す。曲線ａでは雰囲気温度が２５℃前後のときに効率が最も高く、曲線ｂでは雰囲気温度が１５℃前後のときに最も効率が高くなる。照明器具が設置される室内の温度は一般に適温とされる２５℃前後に空調設備によって保たれるため、本実施の形態の蛍光ランプ１は、室内の雰囲気温度に適して、最も効率の高い状態で点灯できる。
【００６２】
また、ランプホルダ55がランプソケット28のホルダ部30よりも口金11の下側域に回り込むため、蛍光ランプの口金11をランプソケット28に接続した際の安定性を向上させることができる。
【００６３】
次に、図１３は第１０の実施の形態を示し、図１３は蛍光ランプの一部の斜視図である。
【００６４】
蛍光ランプ１は、例えば、図１に示す第１の実施の形態の蛍光ランプ１と同様の構造である。口金11の口金ケース12は、バルブ２の管軸方向に２分割形成され、バルブ２の両端部７側に絶縁性を有する例えば合成樹脂製のケース部61が配設され、中間部９側にケース部61より熱伝導性および放熱性の高い例えばアルミニウムまたは樹脂などの放熱手段としてのケース部62が配設される。
【００６５】
そして、この蛍光ランプ１の点灯時には、バルブ２の管壁の熱が口金11に伝わって放熱される。特に、熱伝導性および放熱性の高いケース部62からは空気中に良好に放熱され、このケース部62が接触するバルブ２の中間部９すなわち最冷部10の熱が良好に放熱される。そのため、最冷部10が温度上昇するのを抑制でき、バルブ２内の水銀蒸気圧を適性に保ち、明るさの低下を抑制できる。
【００６６】
なお、第９の実施の形態と同様にランプソケット28にランプホルダ55を設けた器具体23に、ケース部62を有する蛍光ランプ１を接続することにより、ケース部62に接触するランプホルダ55を介して器具体23側に良好に放熱させることができる。
【００６７】
なお、図５に示す第４の実施の形態または図９に示す第８の実施の形態のように、ランプソケット28に近接導体43を備える場合、蛍光ランプ１の始動時のみ始動を補助する電流を流すことにより、始動性をより向上させることができる。
【００６８】
また、ランプホルダ29は、蛍光ランプ１の内側の環状バルブ部３に係合して支持するが、外側の環状バルブ部４、または環状バルブ部３，４の両方に係合して支持するようにしてもよい。
【００６９】
次に、図１４に第１１の実施の形態を示し、図１４は蛍光ランプおよび点灯装置の一部の説明図である。
【００７０】
蛍光ランプ１の近接導体13に、内側の環状バルブ部３の電極８に接続された導電線41が電気的に接続される。
【００７１】
この蛍光ランプ１が接続される点灯装置71では、交流電源に図示しない整流回路が接続され、この整流回路の出力端子間に平滑コンデンサC1が接続され、この平滑コンデンサC1に対して並列にハーフブリッジ型のインバータ回路72が接続される。インバータ回路72は、トランジスタQ1，Q2の直列回路などで構成され、これらトランジスタQ1，Q2のゲートに図示しない駆動回路が接続される。トランジスタQ2の両端子間には、バラストチョークＬ、蛍光ランプ１の両電極８が直列に接続され、これら両電極８間には始動用コンデンサC2が接続される。なお、バルブ２の中間部９と近接導体13との間には遊動容量が存在する。
【００７２】
そして、インバータ回路72のトランジスタQ1，Q2が交互にオンオフして高周波を発生させ、蛍光ランプ１を始動、点灯させる。
【００７３】
このとき、蛍光ランプ１の近接導体13は高電位側の電極８に接続されているため、バルブ２の中間部９の電位が高くなり、アース面への漏れ電流が増加し、始動性が向上する。
【００７４】
【発明の効果】
請求項１記載の蛍光ランプによれば、径の異なる複数の環状バルブ部が同一平面上に同心状に設けられるとともにこれら複数の環状バルブ部が連通されて１本の放電路が設けられたバルブを有する蛍光ランプにおいて、バルブの放電路の中間部に近接導体を設けたため、近接導体の放電誘発作用によって始動電圧を低減し、始動性を向上できる。さらに、口金に配置されるバルブの放電路の両端部と中間部との間に遮熱部を設けるため、バルブの放電路の中間部すなわち最冷部の温度上昇を抑制して明るさの低下を防止できる。
【００７５】
請求項２記載の蛍光ランプによれば、請求項１記載の蛍光ランプの効果に加えて、バルブの放電路の両端部にわたって設けられる口金に近接導体を設けるため、近接導体を容易に設けることができる。
【００７６】
請求項３記載の蛍光ランプによれば、請求項１または２記載の蛍光ランプの効果に加えて、近接導体として電極に接続される導電線を兼用できる。
【００７７】
請求項４記載の蛍光ランプによれば、請求項１ないし３いずれか一記載の蛍光ランプの効果に加えて、口金は透光性を有し、口金で覆われるバルブ部分からの光の一部を放出でき、光束の低下を抑制できる。
【００７８】
請求項５記載の蛍光ランプによれば、径の異なる複数の環状バルブ部が同一平面上に同心状に設けられるとともにこれら複数の環状バルブ部が連通されて１本の放電路が設けられたバルブを有する蛍光ランプにおいて、バルブの放電路の中間部に近接導体を設けたため、近接導体の放電誘発作用によって始動電圧を低減し、始動性を向上できる。さらに、バルブの最冷部に設けられた放熱手段により、最冷部の温度上昇を抑制して明るさの低下を防止できる。
【００７９】
請求項６記載の照明器具によれば、請求項１ないし５いずれか一記載の蛍光ランプを装着するため、始動電圧が低く、始動性がよい照明器具を提供できる。
【００８０】
請求項７記載の照明器具によれば、径の異なる複数の環状バルブ部が同一平面上に同心状に設けられるとともにこれら複数の環状バルブ部が連通されて１本の放電路が設けられたバルブを有する蛍光ランプを使用する照明器具において、ランプソケットに蛍光ランプの放電路の中間部に近接される近接導体を設けたため、近接導体の放電誘発作用によって始動電圧を低減し、始動性を向上できる。
【００８１】
請求項８記載の照明器具によれば、請求項５記載の蛍光ランプの放熱手段に接触するランプホルダを有するため、放熱手段の熱をランプホルダを介して器具本体側に放熱させることができ、放熱性をより向上できる。
【００８２】
請求項９記載の照明器具によれば、請求項７または８記載の照明器具の効果に加えて、非導電性のランプホルダを具備しているため、始動時に印加した電圧がランプホルダの部分で漏れるのをなくし、始動性を向上させることができる。
【図面の簡単な説明】
【図１】  本発明の第１の実施の形態を示す蛍光ランプの底面図である。
【図２】  同上実施の形態の照明器具の断面図である。
【図３】  本発明の第２の実施の形態を示す蛍光ランプの底面図である。
【図４】  本発明の第３の実施の形態を示す蛍光ランプの底面図である。
【図５】  本発明の第４の実施の形態を示すランプソケットの斜視図である。
【図６】  本発明の第５の実施の形態を示す蛍光ランプの底面図である。
【図７】  本発明の第６の実施の形態を示す蛍光ランプの底面図である。
【図８】  本発明の第７の実施の形態を示す蛍光ランプの底面図である。
【図９】  本発明の第８の実施の形態を示すランプソケットの斜視図である。
【図１０】  本発明の第９の実施の形態の蛍光ランプを示し、(a)は蛍光ランプの一部の斜視図、(b)は口金の断面図である。
【図１１】  同上実施の形態の照明器具の一部の側面図である。
【図１２】  同上実施の形態の雰囲気温度に対する効率の特性を示す説明図である。
【図１３】  本発明の第１０の実施の形態を示す蛍光ランプの一部の斜視図である。
【図１４】  本発明の第１１の実施の形態を示す蛍光ランプおよび点灯装置の一部の説明図である。
【符号の説明】
１    蛍光ランプ
２    バルブ
３，４    環状バルブ部
６    放電路
８    電極
10    最冷部
11    口金
13    近接導体
24    器具本体
28    ランプソケット
41    導電線
42    遮熱部
43    近接導体
45    放熱手段としての放熱部
52    放熱手段としてのケース部
55    ランプホルダ
62    放熱手段としてのケース部
【図１】
0003642121.tif 000002
【図２】
0003642121.tif 000003
【図３】
0003642121.tif 000004
【図４】
0003642121.tif 000005
【図５】
0003642121.tif 000006
【図６】
0003642121.tif 000007
【図７】
0003642121.tif 000008
【図８】
0003642121.tif 000009
【図９】
0003642121.tif 000010
【図１０】
0003642121.tif 000011
【図１１】
0003642121.tif 000012
【図１２】
0003642121.tif 000013
【図１３】
0003642121.tif 000014
【図１４】
0003642121.tif 000015